(57)【要約】【課題】  この発明は箱状体に収容された収納ケースを円滑に引き出すことができるようにしたベッド装置を提供することにある。【解決手段】  幅方向の一側面が出し入れ口に形成され他側面に通口が形成されるとともに内部を収容部５としてヘッドボード１２の幅方向一端部に一端面が連結して設けられる箱状体２と、箱状体の他端面に幅方向一端部を連結して設けられたフットボード１４と、各ボードの幅方向他端に端と他端とを連結して設けられた側板２１と、側板と箱状体との間に架設され上面にマットレス２５が載置される床板と、収容部に一端部が取り付けられ他端部を箱状体の通口から外部へ突出して設けられた第１のガイド部材２７と、幅方向両側外面に第１のガイド部材に移動可能に係合する第２のガイド部材３７が設けられ第２のガイド部材を第１のガイド部材に係合させて箱状体の幅方向に沿って設けられた複数の収納ケース６ａ，６ｂとを具備する。【選択図】      図１
2005176902.tif 000002
【特許請求の範囲】
【請求項１】
ヘッドボードと、
このヘッドボードの幅寸法よりも小さな幅寸法であって、幅方向の一側面が出し入れ口に形成され他側面に通口が形成されるとともに内部を収容部として上記ヘッドボードの幅方向一端部に長手方向の一端面が連結して設けられる箱状体と、
この箱状体の長手方向の他端面に幅方向一端部を連結して設けられたフットボードと、
上記ヘッドボードとフットボードとの幅方向他端に長手方向一端と他端とを連結して設けられた側板と、
この側板と上記箱状体との間にこの箱状体の上面とほぼ同じ高さで架設される床板と、
この床板と上記箱状体との上面に載置されるマットレスと、
上記収容部の幅方向両側内面に一端部が取り付けられ他端部を上記箱状体の通口から外部へ突出して設けられた第１のガイド部材と、
幅方向両側外面に上記第１のガイド部材に移動可能に係合する第２のガイド部材が設けられこの第２のガイド部材を上記第１のガイド部材に係合させて上記箱状体の幅方向に沿って設けられた複数の収納ケースと
を具備したことを特徴とするベッド装置。
【請求項２】
上記箱状体の幅方向一端側に位置する収納ケースの出し入れに他端側に位置する収納ケースを連動させる連結手段を有することを特徴とする請求項１記載のベッド装置。
【請求項３】
上記収容部には、上記箱状体の幅方向一端側に位置する収納ケースを空間部から引き出すことで、幅方向他端側に位置する収納ケースを引き出すことができる引き出し部材が設けられていることを特徴とする請求項１記載のベッド装置。
【請求項４】
上記箱状体の幅方向一端側に位置する収納ケースの移動方向前端には、その収納ケースを上記空間部に収容したときに上記出し入れ口を閉塞する前板が着脱可能に設けられていることを特徴とする請求項１記載のベッド装置。
【請求項５】
上記箱状体の幅方向他端側に位置する収納ケースは、上記通口から上記箱状体の外部に突出しており、この箱状体の上面開口は着脱可能な蓋体によって閉塞されていることを特徴とする請求項１記載のベッド装置。
【発明の詳細な説明】
【技術分野】
【０００１】
この発明は収納ケースが出し入れ可能に設けられる箱状体を有するベッド装置に関する。
【背景技術】
【０００２】
一般に、ベッド装置はベッド本体を有する。このベッド本体は上面にマットレスが載置されるとともに、長手方向一端にはヘッドボード、他端にはフットボードがほぼ垂直に立設されている。
【０００３】
上記ベッド装置が占有する室内空間を有効利用するため、たとえば特許文献１に示すベッド装置がある。この特許文献１に示されたベッド装置は、ベッド本体（基体）に空間部が形成されている。この空間部はベッド本体の幅方向一側面及び下面に開口しており、この側面開口から内部に収納ケース（箱体）を出し入れできるようにしている。したがって、上記収納ケースに衣類などの物品を入れることで、ベッド本体が占有する室内空間の有効利用を図ることができる。
【特許文献１】実開昭５７−７３６０号公報
【発明の開示】
【発明が解決しようとする課題】
【０００４】
上記特許文献１に示されたベッド装置は、ベッド本体に形成された空間部に設けられる収納ケースの下面にキャスタを設け、このキャスタによって床面を走行させることで、上記収納ケースを上記ベッド本体の空間部に対して出し入れできるようにしている。
【０００５】
しかしながら、キャスタによって収納ケースをベッド本体に形成された空間部に対して出し入れする構成によると、キャスタが床面を走行することになるから、このキャスタによって床面が傷付けられるということがあったり、床面に絨毯やカーペットが敷かれている場合には、キャスタが絨毯やカーペットに沈んで走行抵抗が大きくなるため、上記空間部に対して収納ケースを円滑に出し入れすることができないということもある。
【０００６】
さらに、ベッド本体の下面に設けたキャスタを床面に走行させる構成によると、ベッド本体に形成される空間部は、このベッド本体の下面を通じて外部に連通してしまうから、その下面から空間部に塵埃が入り込み、空間部内の収納ケースに収容された物品に塵埃が付着し、物品が汚れてしまうということがある。
【０００７】
また、特許文献１では、収納ケースをベッド本体の幅方向に対して２つに分割し、これら収納ケースを結合部材によって連結して空間部に収容するようにしている。それによって、ダブルサイズなどのようにベッド装置の幅寸法が大きい場合であって、ベッド本体の側方に、ベッド本体の幅寸法の約半分程度の引き出し用のスペースを確保することで、上記ベッド本体の空間部から２つの収納ケースを順次引き出すことを可能にしている。つまり、ベッド本体の空間部を幅方向全長にわたって有効に利用することができるようにしている。
【０００８】
しかしながら、２つの収納ケースを連結すると、これら収納ケースを空間部に出し入れするときの走行抵抗がより一層、大きくなるから、収納ケースが１つの場合に比べ、上記空間部に対する収納ケースの出し入れがさらにし難くなるということがある。
【０００９】
この発明は、収納ケースが収容される収容部を塵埃が入り難い密閉構造にできるとともに、収納ケースの出し入れを円滑に行なうことができるようにしたベッド装置を提供することにある。
【課題を解決するための手段】
【００１０】
この発明は、ヘッドボードと、
このヘッドボードの幅寸法よりも小さな幅寸法であって、幅方向の一側面が出し入れ口に形成され他側面に通口が形成されるとともに内部を収容部として上記ヘッドボードの幅方向一端部に長手方向の一端面が連結して設けられる箱状体と、
この箱状体の長手方向の他端面に幅方向一端部を連結して設けられたフットボードと、
上記ヘッドボードとフットボードとの幅方向他端に長手方向一端と他端とを連結して設けられた側板と、
この側板と上記箱状体との間にこの箱状体の上面とほぼ同じ高さで架設される床板と、
この床板と上記箱状体との上面に載置されるマットレスと、
上記収容部の幅方向両側内面に一端部が取り付けられ他端部を上記箱状体の通口から外部へ突出して設けられた第１のガイド部材と、
幅方向両側外面に上記第１のガイド部材に移動可能に係合する第２のガイド部材が設けられこの第２のガイド部材を上記第１のガイド部材に係合させて上記箱状体の幅方向に沿って設けられた複数の収納ケースと
を具備したことを特徴とするベッド装置にある。
【００１１】
上記箱状体の幅方向一端側に位置する収納ケースの出し入れに他端側に位置する収納ケースを連動させる連結手段を有することが好ましい。
【００１２】
上記収容部には、上記箱状体の幅方向一端側に位置する収納ケースを空間部から引き出すことで、幅方向他端側に位置する収納ケースを引き出すことができる引き出し部材が設けられていることが好ましい。
【００１３】
上記箱状体の幅方向一端側に位置する収納ケースの移動方向前端には、その収納ケースを上記空間部に収容したときに上記出し入れ口を閉塞する前板が着脱可能に設けられていることが好ましい。
【００１４】
上記箱状体の幅方向他端側に位置する収納ケースは、上記通口から上記箱状体の外部に突出しており、この箱状体の上面開口は着脱可能な蓋体によって閉塞されていることが好ましい。
【発明の効果】
【００１５】
この発明によれば、収納ケースは、箱状体の収容部に設けられた第１のガイド部材に、幅方向両側外面に設けられた第２のガイド部材を移動可能に係合させているため、上記収容部に対する出し入れを円滑に行なうことができるとともに、箱状体の幅寸法に制限されることなく、その幅方向に沿って複数の収納ケースを並設することが可能となる。
【発明を実施するための最良の形態】
【００１６】
以下、この発明の実施の形態を図面を参照して説明する。
【００１７】
図１乃至図５はこの発明の第１の実施の形態を示す。図１はこの発明のベッド装置の分解斜視図であって、このベッド装置はベッド本体１を備えている。このベッド本体１は、箱状体２と、長手方向中途部で分割された２枚の床板３を有する。上記箱状体２は幅方向の一側面が全体にわたって開口した出し入れ口２ａとなっており、他側面には出し入れ口２ａよりも低い高さ寸法で開口した通口２ｂ（図２（ａ），（ｂ）に示す）が形成され、内部は仕切り板４によって２つの収納部５に分割されている。
【００１８】
上記箱状体２の各収容部５にはそれぞれ幅方向に複数、この実施の形態では２つの収納ケース６ａ，６ｂが後述するように出し入れ可能に設けられている。各収納ケース６ａ，６ｂは上面が開口した箱形状に形成されていて、内部には衣類などの物品が収容できるようになっている。
【００１９】
上記箱状体２の長手方向一端と他端とに位置する各端板７ａ，７ｂには、箱状体２の出し入れ口２ａ側に位置する幅方向の一端部に一対の通孔１１が上下方向に所定間隔で形成されている。箱状体２の一方の端板７ａには、この箱状体２よりも幅寸法及び高さ寸法が十分に大きいヘッドボード１２の幅方向一端部が上記通孔１１からヘッドボード１２の内面の幅方向一端部に形成された一対のねじ孔１２ａに通された一対のねじ１３によって取付け固定されている。なお、この実施の形態では、上記ヘッドボード１２の幅寸法は、上記箱状体２の幅寸法のほぼ２倍に設定されている。
【００２０】
上記箱状体２の他方の端板７ｂには、上記ヘッドボード１２と同じ幅寸法で、高さ寸法が低いフットボード１４の幅方向一端部が上記端板７ｂの通孔１１からフットボード１４の内面の幅方向一端部に形成された図示しない一対のねじ孔に通された一対のねじ１３によって取付け固定されている。
【００２１】
上記ヘッドボード１２とフットボード１４との幅方向の他端には、帯板状の側板２１が着脱可能に取り付けられている。つまり、側板２１の長手方向両端にはＬ字状をなした連結金具２２の一辺が取付け固定されている。この連結金具２２の他辺には上下一対の鉤部が形成され、この鉤部はヘッドボード１３とフットボード１４との幅方向他端に形成されたねじ孔１２ａ（ヘッドボード１２のねじ孔１２ａだけ図示）に螺合されるねじ２３によって取付け固定される。
【００２２】
上記側板２１の内面と、上記箱状体２の他側外面とにはそれぞれ受け桟２４（箱状体２の受け桟２４は図２（ａ）に示す）が設けられている。一対の受け桟２４には上記床板３が幅方向両端部を係合させて架設される。つまり、床板３は箱状体２と側板２１との間に設けられる。上記箱状体２の上面と、上記床板３の上面とはほぼ同じ高さの平面となっていて、この平面にはマットレス２５が載置される。
【００２３】
各収容部５の幅方向両側の内面、つまり仕切り板４の両側面と各端板７ａ，７ｂの内面にはそれぞれ第１のガイド部材２７が設けられている。第１のガイド部材２７は、図４（ａ）に示すようにそれぞれ帯状部材の上下端をＬ字状に折り曲げることで一側面に開放した断面コ字状のガイド溝２７ａが形成されていて、他側面には長手方向の一端部と中途部とにそれぞれピン２８が突設されている。
【００２４】
さらに、第１のガイド部材２７の一端部は他の部分よりも幅広に形成され、この一端部のガイド溝２７ａ側には第１のローラ２９が回転可能に設けられている。そして、一対の第１のガイド部材２７は、一対のピン２８を仕切り板４と端板７ａ，７ｂとの内面に形成された係合孔３１（図２（ａ）、図５に示す）に着脱可能に嵌合させて設けられている。
【００２５】
一対の第１のガイド部材２７の他端部は、図３（ａ），（ｂ）に示すように箱状体２の他側面に開口形成された通口２ｂから外部に突出しており、その突出端部は図４（ａ）に示すように両端に止めねじ３２が螺合された連結ロッド３３によって連結されているとともに、脚部材３４によって下方へ撓むことがないよう支持されている。
【００２６】
各収容部５に収容されるそれぞれ一対の収納ケース６ａ，６ｂの幅方向両側外面の高さ方向下部には、上記第１のガイド部材２７のガイド溝２７ａに転動可能に係合する第２のローラ３６を有する断面クランク状の第２のガイド部材３７が下端のフランジ３７ａを側板の下端面に固着して設けられている。
【００２７】
そして、各収納ケース６ａ，６ｂは、図５に示すように第２のガイド部材３７に設けられた第２のローラ３６を第１のガイド部材２７のガイド溝２７ａに係合させるとともに、クランク状の上端のフランジ３７ｂを第１のローラ２９に係合させることで、移動可能に支持されている。それによって、収納ケース６ａ、６ｂは、第１のガイド部材２７に沿って円滑に出し入れすることができるようになっている。
【００２８】
各収容部５に設けられるそれぞれの収納ケース６ａ，６ｂの奥行き寸法は、箱状体２の奥行き寸法とほぼ同じ設定されている。それによって、図３（ａ）に示すように手前側の収納ケース６ａを収容部５に収容すると、奥側の収納ケース６ｂは箱状体５の通口２ｂから外部に突出し、床板３の下面側に位置するようになっている。
【００２９】
箱状体５の外部に突出した収納ケース６ｂの上面開口は着脱可能な蓋体４１によって閉塞される。この蓋体４１は、収納ケース６ｂの四隅部に設けられた受け部材４２によって支持されるようになっている。
【００３０】
前方に位置する収納ケース６ａの前端面には、この収納ケース６ａを収容部５に収容したときに、箱状体２の出し入れ口２ａを閉塞する前板４３が設けられている。また、前方の収納ケース６ａの後端面と、後方の収納ケース６ｂの前端面とは、これらの端面にそれぞれ設けられた連結手段としての磁石４４によって分解可能に連結されている。
【００３１】
それによって、前方の収納ケース６ａを引き出すと、その動きに後方の収納ケース６ｂが連動するから、２つの収納ケース６ａ，６ｂを箱状体２の幅方向に並設収納しても、後方の収納ケース６ｂを前側の収納ケース６ａとともに引き出すことが可能となっている。
【００３２】
このような構成のベッド装置によれば、箱状体２に形成された一対の収容部５には、幅方向両側内面に第１のガイド部材２７を箱状体２の幅方向に沿って設け、この第１のガイド部材２７には一対の収納ケース６ａ，６ｂを、その幅方向の両側外面に設けられた第２のガイド部材３７を移動可能に係合させて設けるようにした。
【００３３】
そのため、一対の収納ケース６ａ，６ｂは、第１のガイド部材２７と第２のガイド部材３７との係合によって上記箱状体２の収容部５に対して円滑に出し入れすることが可能となる。つまり、収納ケース６ａ，６ｂにキャスタを設け、このキャスタを床面に走行させる場合に比べ、上記収納ケース６ａ，６ｂを軽い力で確実に出し入れすることができる。
【００３４】
手前側の収納ケース６ａは箱状体２の収容部５に収容され、しかも箱状体２の出し入れ口２ａは上記収納ケース６ａの前端面に設けられた前板４３によって閉塞される。そのため、箱状体２内には塵埃が入り込み難いから、この箱状体２内の収納ケース６ａに収容された衣類などの物品に埃が付着することがない。
【００３５】
箱状体２から床板３の下面側に突出した後方の収納ケース６ｂは、上面開口が蓋体４１によって閉塞されているから、箱状体２の収容部５から外部に突出していても、その内部に収容された衣類などの物品に埃が付着するのを防止できる。
【００３６】
手前側の収納ケース６ａを引き出すと、この収納ケース６ａに磁石４４によって連結された後側の収納ケース６ｂが連動して引き出される。そのため、箱状体２の幅方向に２つの収納ケース６ａ，６ｂを並べて収納しても、これら２つの収納ケース６ａ，６ｂを出し入れすることが可能である。
【００３７】
箱状体１２の幅寸法が、ヘッドボード１２とフットボード１４との幅寸法よりも小さいため、箱状体１２によって形成される収容部５の奥行き寸法も小さくなる。しかしながら、箱状体１２の幅方向の他側面に通口２ｂを開口形成し、この通口２ｂから第１のガイド部材２７を突出させるようにした。
【００３８】
そのため、箱状体１２の各収容部５の奥行き寸法に制限を受けることなく、この箱状体１２の幅寸法よりも大きな奥行き寸法となる２つの収納ケース６ａ，６ｂを、上記箱状体１２の幅方向に並設することが可能となる。つまり、収納時に、手前側の収納ケース６ａは箱状体１２の収容部５に収容されるが、後側の収納ケース６ｂを箱状体１２の後方へ突出させるようにしたから、箱状体１２の幅寸法に制限されることのない奥行き寸法で２つの収納ケース６ａ，６ｂを並設することができる。
【００３９】
なお、この実施の形態において、２つの収納ケース６ａ，６ｂを連結する連結手段として磁石を挙げたが、連結手段は磁石に限られず、コ字状の金具や紐などを用いるようにしてもよく、要は手前側の収納ケースを引き出したときに後側の収納ケースが連動するよう、これら収納ケースを連結できるものであればよい。
【００４０】
図６（ａ）〜（ｃ）はこの発明の第２の実施の形態を示す。この実施の形態は手前側の収納ケース６ａだけを単独で引き出した後で、後側の収納ケース６ｂを引き出せるようにしたものである。
【００４１】
つまり、収容部５の内底部には、この収容部５の前後方向に沿って引き出し部材５１が設けられている。この引き出し部材５１は、比較的硬質な合成樹脂や金属板などの帯状の部材からなり、その一端部と他端部とには長手方向の中央部に向かって鋭角に屈曲された第１の係合片５２ａと第２の係合片５２ｂとが形成されている。
【００４２】
上記第１の係合片５２ａは図６（ａ）に示すように収容部５に収容された手前側の収納ケース６ａの後端板５３ａよりも前方に位置し、第２の係合片５２ｂは後側の収納ケース６ｂの前端板５３ｂよりも後方に位置している。
【００４３】
図６（ａ）に示すように手前側の収納ケース６ａを引き出したとき、後側の収納ケース６ｂは箱状体２の通口２ｂから外方の突出した位置から動くことがない。後側の収納ケース６ｂを引き出すときには前側の収納ケース６ａを取り出した後、収容部５の前端部下面に露出した引き出し部材５１の第１の係合片５２ａに手を掛けてこの引き出し部材５１を引き出す。それによって、この引き出し部材５１の第２の係合片５２ｂに後側の収納ケース６ｂの前端板５３ｂが係合するから、図６（ｂ）から図６（ｃ）に示すようにその収納ケース６ｂを引き出すことができる。
【００４４】
後方の収納ケース６ｂを引き出した後、図６（ｃ）に示すようにその収納ケース６ｂの上面開口を閉塞した蓋体４１を取り外す。それによって、その収納ケース６ｂの内部に物品を出し入れすることができる。
【００４５】
図７はこの発明の第３の実施の形態を示す。この実施の形態は２つの収納ケース６ａ，６ｂが同じ形状、この実施の形態では２つの収納ケース６ａ，６ｂがともに蓋体４１を支持する受け部材４２が設けられていない場合であって、その場合には収容部５に収容したときに出し入れ口２ａを閉塞する前板４３の背面にクランク状の係止具５５を設け、この係止具５５を各収納ケース６ａ，６ｂの前端板に着脱可能に係合させて設ける。
【００４６】
このような構成によれば、一対の収納ケース６ａ，６ｂのどちらの前端板にも前板を取り付けることができるから、一対の収納ケース６ａ，６ｂの前後の位置を入れ換えても、前側の収納ケースの前端板に取り付けられた前板４３によって出し入れ口２ａを確実に閉塞することができる。  
上記各実施の形態では箱状体の幅方向に複数として２つの収納ケースを設けるようにしたが、２つの限定されず、３つ以上であっても差し支えない。
【図面の簡単な説明】
【００４７】
【図１】この発明の第１の実施の形態を示すベッド装置の分解斜視図。
【図２】（ａ）は箱状体の断面図、（ｂ）は箱状体に第１のガイド部材を設けた断面図。
【図３】（ａ）は第１のガイド部材に移動可能に支持された２つの収納ケースを収納した断面図、（ｂ）は手前側の収納ケースを箱状体から引き出した断面図。
【図４】（ａ）は連結ロッドによって連結された一対の第１のガイド部材の斜視図、（ｂ）は第２のガイド部材の斜視図。
【図５】箱状体に収納ケースが収容された状態の一部を拡大した断面図。
【図６】この発明の第２の実施の形態で、（ａ）〜（ｃ）は収容部から箱状体を引き出す手順を示した断面図。
【図７】この発明の第３の実施の形態を示す箱状体と収納ケースの断面図。
【符号の説明】
【００４８】
２…箱状体、５…収容部、６ａ，６ｂ…収納ケース、１２…ヘッドボード、１４…フットボード、２５…マットレス、２７…第１のガイド部材、３７…第２のガイド部材。
【図１】
2005176902.tif 000003
【図２】
2005176902.tif 000004
【図３】
2005176902.tif 000005
【図４】
2005176902.tif 000006
【図５】
2005176902.tif 000007
【図６】
2005176902.tif 000008
【図７】
2005176902.tif 000009